(57)【要約】【課題】電極と配線のショートを発生させることなく小型化を大幅に促進でき、表示素子とした場合の狭額縁化に好適で且つ製造が容易な片側基板端子型の液晶素子を提供する。【解決手段】ガラス基板１に設けた走査電極３のうちの駆動回路素子５に遠い第１のエリアａに配設した第１走査電極３ａは、各一端部のクロス接続端子３ａ１を異方性導電シール材１３を介してガラス基板２に対向配置した被クロス接続端子３ａ２に導通接続し、第１走査第３配線６ａにより駆動回路素子５に電気接続する。ガラス基板１の駆動回路素子５に近いエリアｂに配設した第２走査電極３ｂは、第１走査第３配線６ａに重なるエリアに配設した第２走査第１配線６ｂ１から、クロス接続端子６ｂ１１、異方性導電シール材１３、被クロス接続端子６ｂ１２、ガラス基板２側の第２走査第３配線６ｂ２を経て駆動回路素子５に電気接続する。【選択図】      図２
2004295067.tif 000002
【特許請求の範囲】
【請求項１】
複数の第１の電極と、これらの第１の電極が配列された領域より外側に配列され、前記第１の電極にそれぞれ電圧を供給するための複数の接続端子と、前記複数の第１の電極と前記複数の接続端子とを夫々接続する複数の第１の配線とが形成された第１の基板と、
前記複数の第１の電極に対向して配置され、複数の画素を形成するための複数の第２の電極と、これらの第２の電極にそれぞれ電圧を供給するための複数の第２の配線と、前記第１の基板上の複数の前記接続端子にそれぞれ対応させて設けられ、対応する接続端子にそれぞれ導通接続される複数の被接続端子、及びこれら被接続端子にそれぞれ電圧を供給する複数の第３の配線とが形成された第２の基板と、
前記接続端子と対応する前記被接続端子とを導通接続する導電部材と、
前記第１の基板及び前記第２の基板をそれぞれの電極形成面を対向させて所定の間隙を保ち接合する枠状をなす接合部材と、
前記第１の基板及び前記第２の基板の対向する各内面と前記接合部材とで囲まれる空間に封入された液晶とを備え、
前記第１の配線と前記第３の配線との少なくとも各一部を、それぞれ前記第１、第２の基板の各内面に互いに対向させて配設したことを特徴とする液晶素子。
【請求項２】
前記第１の配線と前記第３の配線が、前記第１の基板と前記第２の基板とが対向する領域の第１の電極が配列された領域より外側の、前記接合部材より内側の液晶封入領域に配設されていることを特徴とする請求項１に記載の液晶素子。
【請求項３】
前記第１の電極と前記第２の電極は、前記第２の基板に直接搭載された１個の駆動回路素子に電気接続されていることを特徴とする請求項１または２に記載の液晶素子。
【請求項４】
前記液晶素子はドットマトリックス型の液晶表示素子であり、前記第１の電極は複数の走査電極で、前記第２の電極は前記走査電極に対して直角に交差させた複数の信号電極であり、複数の前記接続端子は第１と第２のグループに分けて異なる位置に配置され、前記第１のグループの接続端子は複数の走査電極の配列方向に複数配列され、前記第２のグループの接続端子は、信号電極の配列方向に複数配列されていることを特徴とする請求項１乃至３の何れかに記載の液晶素子。
【請求項５】
前記第１のグループの接続端子に接続された走査電極と、前記第２のグループの接続端子に接続された走査電極とが、それぞれ、所定の領域にまとめて配設されていることを特徴とする請求項４に記載の液晶素子。
【請求項６】
前記第１のグループの接続端子に接続された走査電極と、前記第２のグループの接続端子に接続された走査電極とが、交互に配列されていることを特徴とする請求項４に記載の液晶素子。
【発明の詳細な説明】
【０００１】
【発明の属する技術分野】
この発明は、一対の基板にそれぞれ設けた各電極の端子を一方の基板にまとめた片側基板端子型の液晶素子に関する。
【０００２】
【従来の技術】
従来の液晶素子として、一対の基板にそれぞれ複数の電極を設け、これら電極に電圧を供給するための各端子を一方の基板にまとめて設置した、片側基板端子型の液晶素子がある。この片側基板端子型の液晶素子は、外部電気回路との接続が容易で実装構造が簡素化されるという利点を備えている。
【０００３】
しかし、この片側基板端子型液晶素子においては、一方の基板に設けられた電極と、他方の基板に設けられた前記電極に電圧を供給するための引き回し配線やその接続端子（以下、配線部材という）とを導電接続する必要があり、そのための構造や工程がコストアップを引き起こす。特に、一方の基板に複数の信号電極を設け、他方の基板にそれらの信号電極に交差させて複数の走査電極を設ける所謂単純マトリクス型の液晶表示素子においては、片側基板端子化することにより構造や製造工程がより複雑化してしまう。
【０００４】
上述のような片側基板端子構造の単純マトリクス型液晶表示素子であっても、異なる基板に設置された複数の電極とこれら電極に対応する配線部材とを作業性良く導電接続できる従来の方法として、一対の基板間に液晶を封入するためのシール材中に導電性粒子を含有させ、その導電性粒子を介して対応する電極と配線部材を導電接続する方法が知られている。（例えば特許文献１参照）
【０００５】
【特許文献１】
特開昭６３−２９７２９号公報（２頁、第１図）
【０００６】
【発明が解決しようとする課題】
しかるに、上述したシール材中に導電性粒子を含有させた異方性導電シール材により対応する電極と配線部材を導電接続する方法による場合、その導電シール領域に、一方の基板の複数の電極と他方の基板の複数の配線とが配置されると、対応しない電極と配線とが導電接続されてしまう所謂ショートが発生してしまう。
【０００７】
そこで従来、異方性導電シール材の配置領域と上記配線領域とが重畳（オーバーラップ）しないように、配線領域を異方性導電シール材の配置領域の内側或いは外側に分離して配設し、これにより電極と非対応配線とのショートを回避している。
【０００８】
しかしその結果、同一基板上で異方性導電シール材の配置領域と電極の配線部材が配置される配線領域とがそれぞれ異なる領域に配設されることになるから、必然的に基板サイズが大きくなってしまい、液晶素子の小型化に不利となる。特に、上述したような単純マトリクス型の液晶表示素子については、多数の電極を設けるから、表示領域に比してその周囲の所謂額縁がその分大きくなってしまう。
【０００９】
本発明は、電極と配線のショートを発生させることなく小型化を大幅に促進でき表示素子とする場合の狭額縁化に極めて好都合であり且つ製造が容易な片側基板端子型の液晶素子を提供することを課題とする。
【００１０】
【課題を解決するための手段】
本発明の液晶素子は、複数の第１の電極と、これらの第１の電極が配列された領域より外側に配列され、前記第１の電極にそれぞれ電圧を供給するための複数の接続端子と、前記複数の第１の電極と前記複数の接続端子とを夫々接続する複数の第１の配線とが形成された第１の基板と、前記複数の第１の電極に対向して配置され、複数の画素を形成するための複数の第２の電極と、これらの第２の電極にそれぞれ電圧を供給するための複数の第２の配線と、前記第１の基板上の複数の前記接続端子にそれぞれ対応させて設けられ、対応する接続端子にそれぞれ導通接続される複数の被接続端子、及びこれら被接続端子にそれぞれ電圧を供給する複数の第３の配線とが形成された第２の基板と、前記接続端子と対応する前記被接続端子とを導通接続する導電部材と、前記第１の基板及び前記第２の基板をそれぞれの電極形成面を対向させて所定の間隙を保ち接合する枠状をなす接合部材と、前記第１の基板及び前記第２の基板の対向する各内面と前記接合部材とで囲まれる空間に封入された液晶とを備え、前記第１の配線と前記第３の配線との少なくとも各一部を、それぞれ前記第１、第２の基板の各内面に互いに対向させて配設したことを特徴とするものである。
【００１１】
この液晶素子によれば、一対の基板のうちの一方の基板の電極を他方の基板に設けた駆動回路素子へ異なる基板間に渡って接続する配線を複数の経路に分け、それら配線の少なくとも一部分を両基板の各内面に対向配設したから、素子全体での配線領域を小さくでき、これにより、基板サイズを小さくして液晶素子の小型化を大幅に促進することができる。その結果、異方性導電材料からなる接合部材を用いる場合においても、電極と配線のショートを回避するために配線領域を接合領域にオーバーラップさせなくても配線領域を縮小することにより液晶素子の小型化を大幅に促進でき且つ異方性導電材料の接合部材を用いるために製造が容易となる片側基板端子型の液晶素子を提供することが可能となる。
【００１２】
本発明の液晶素子においては、請求項２に記載のように、前記第１の配線と前記第３の配線を、前記第１の基板と前記第２の基板とが対向する領域の第１の電極が配列された領域より外側の、前記接合部材より内側の液晶封入領域に配設することが好ましく、これにより、それら各配線の腐食が抑制される。
【００１３】
また、本発明の液晶素子は、請求項３に記載のように、前記第１の電極と前記第２の電極が前記第２の基板に搭載された１個の駆動回路素子に電気接続される１チップ実装タイプの液晶素子に好適であり、その結果、実装構造が簡単な１チップ実装液晶素子の小型化がより一層促進される。
【００１４】
更に、本発明は、請求項４に記載のように、前記第１の電極が複数の走査電極で、前記第２の電極が前記走査電極に対して直角に交差させた複数の信号電極であり、複数の前記接続端子は第１と第２のグループに分けて異なる位置に配置され、前記第１のグループの接続端子は複数の走査電極の配列方向に複数配列され、前記第２のグループの接続端子は信号電極の配列方向に複数配列されている、ドットマトリックス型の液晶表示素子に適用することが好ましく、これにより、複雑化しがちな片側基板端子型で狭額縁のドットマトリックス型液晶表示素子の構造が簡素化され、その製造が容易となる。
【００１５】
そして、この請求項４の液晶表示素子は、請求項５に記載のように、前記第１のグループの接続端子に接続された走査電極と、前記第２のグループの接続端子に接続された走査電極とを、それぞれ、所定の領域にまとめて配設することが好ましく、これにより、複雑化しがちな片側基板端子型液晶表示素子の配線構造が簡単になり、片側基板端子型液晶表示素子の製造がより容易となる。また、この液晶素子は、表示領域が例えば文字表示域と画像表示域のように異なる表示特質の区域に区分される液晶表示素子に好適である。
【００１６】
また、上記請求項４の液晶表示素子は、請求項６に記載のように、前記第１のグループの接続端子に接続された走査電極と、前記第２のグループの接続端子に接続された走査電極とを、交互に配列することが望ましく、これにより、所望の表示品質を画素領域全域にわたりより均等に安定して得ることができる。
【００１７】
【発明の実施の形態】
本発明の第１実施形態としての液晶表示素子について、図１乃至図４に基づき説明する。図１は本実施形態としての液晶表示素子の全体を示す斜視図で、図２はその液晶表示素子を一方の基板を透視して示す平面図、図３、図４はそれぞれそのイ−イ、ロ−ロ各断面図である。なお、図３は、電極の配線接続構造だけを示す模式的断面図である。
【００１８】
図１において、本例の液晶表示素子は、片面に電極（不図示）が形成された一対のガラス基板１、２を、それぞれの電極形成面を対向させて枠状シール材（不図示）を介し接合し、枠状シール材で囲まれたガラス基板１、２間に液晶を封入して、構成されている。一対のガラス基板１、２のうちの一方のガラス基板２には、一端部を他方のガラス基板１の端面から突出させて、突出部２ａが形成されている。なお、本液晶表示素子は、表示エリアＡｖに比して周囲の額縁Ａｆのエリアを小さくした狭額縁液晶表示素子である。
【００１９】
まず、本例の液晶表示素子の電極配線を図２及び図３に基づき説明する。本例の液晶表示素子は、単純マトリクス型液晶表示素子であり、ガラス基板１のガラス基板２に対向させた面（以下、内面という）に、複数の走査電極（二点鎖線で示す）３が基板長手方向のｘ方向に平行に延在させて形成されている。そして、もう一方のガラス基板２の内面には、複数の信号電極４が前記走査電極２に対して直交する基板短手方向のｙ方向に平行に延在させて形成されている。そして、ガラス基板２における突出部２ａの表面（内面の延長面）には、液晶表示素子を駆動する１個の駆動回路素子５がＣＯＧ（Ｃｈｉｐ  Ｏｎ  Ｇｌａｓｓ）方式により直接搭載されている。即ち、本例の液晶表示素子は、所謂１チップＣＯＧ搭載方式の単純マトリクス型液晶表示素子であり、全ての電極つまりガラス基板１とガラス基板２に形成された各走査電極３と各信号電極４は、それぞれ、対応する配線（本発明の第１〜第３の配線）を介して１個の駆動回路素子５に導通接続されている。
【００２０】
ガラス基板１に形成されている走査電極３は、両基板１、２が対向するエリアのうちの駆動回路素子５から遠い約半分の第１のエリアａに配設された第１グループの複数の走査電極（以下、第１走査電極と言う）３ａと、駆動回路素子５に近い約半分の第２のエリアｂに配設された第２グループの複数の走査電極（以下、第２走査電極と言う）３ｂとからなる。
【００２１】
第１のエリアａに配設された第１走査電極３ａは、１本置きに、その半数の端部がガラス基板１のｘ方向（長手方向）における一方の縁部に延出され、残りの半数の反対側の端部がガラス基板１の他方の縁部に延出され、延出されたそれぞれの端部は幅広に形成され、基板間の導通接続（以下、クロス接続という）を行うためのクロス接続端子３ａ１としてガラス基板１の両側縁部に沿ってｙ方向へ所定のピッチでそれぞれ並列設置されている。なお、本実施形態においては、第１走査電極３ａの一方の端部を延出してクロス接続端子３ａ１とし、この間の配線が省略されている。
【００２２】
また、第２のエリアｂに配設された第２走査電極３ｂは、第１走査電極３ａと同様に１本置きに、その半数がガラス基板１のｘ方向における一方の端部に延出され、残りの半数がガラス基板１の他方の端部に延出されている。そして、それら両側部に延出された各電極端部からは、各第２走査電極３ｂをガラス基板２側の駆動回路素子５に電気接続するための走査配線（以下、第２走査配線という）６ｂの内のガラス基板１側に設けられる第２走査第１配線（本発明における第２グループの第１の配線）６ｂ１がそれぞれ引き出されている。これら第２走査第１配線６ｂ１は、ガラス基板１の両側縁部から駆動回路素子５に近い縁部（以下、近駆動縁部という）へ、第２走査電極３ｂと信号電極４が対向する画素領域を迂回させて引き回されている。これら第２走査第１配線６ｂ１の引き回し端部はクロス接続端子６ｂ１１として幅広に形成され、ガラス基板１の近駆動縁部に沿って所定のピッチで並列配置されている。これらクロス接続端子６ｂ１１は、ガラス基板１の近駆動縁部において、対応する第２走査電極３ｂを引き出した側と同じ側に分けて配置されている。
【００２３】
一方、ガラス基板２においては、各信号電極４からそれぞれ信号配線（本発明における第２の配線）７が、駆動回路素子５の配設位置に向けて引き出され、これら引き出された信号配線７の各端子（不図示）が、駆動回路素子５の裏面の対応する接続バンプ（不図示）の配列と同一の配列で突出部２ａの所定位置に配設され、この端子列に駆動回路素子５の対応する接続バンプが異方性導電接着剤等のコネクタを介して導通接続されている。
【００２４】
また、ガラス基板１側のクロス接続端子３ａ１に対向させて、図３に示すように被クロス接続端子３ａ２が配設され、これら被クロス接続端子３ａ２から、第１グループの各第１走査電極３ａを駆動回路素子５に接続するためのガラス基板２側の第１走査第３配線（本発明における第１のグループの第３の配線）６ａが駆動回路素子５の配設位置に向けてそれぞれ引き出されている。これら第１走査第３配線６ａは、ガラス基板２の縁部に沿うように迂回させて引き回されている。そして、それら第１走査第３配線６ａの引き出し側各端子（不図示）も、信号配線７の引き出し側端子と同様に、駆動回路素子５の裏面の対応する接続バンプ（不図示）の配列と同一の配列で突出部２ａの所定位置に配設され、この端子列に駆動回路素子５の対応する接続バンプが異方性導電接着剤等のコネクタを介して導通接続されている。
【００２５】
さらに、ガラス基板１側に設けられた第２走査第１配線６ｂ１のクロス接続端子６ｂ１１に対向させて、被クロス接続端子６ｂ１２が配設され、これら被クロス接続端子６ｂ１２からは第２走査第３配線（本発明における第２グループの第３の配線）６ｂ２が駆動回路素子５の配設位置に向けてそれぞれ引き出されている。これら第２走査第３配線６ｂ２の各引出し側端子（不図示）は、駆動回路素子５の裏面の対応する接続バンプ（不図示）の配列と同一の配列で突出部２ａの所定位置に配設され、この端子列に駆動回路素子５の対応する接続バンプが異方性導電接着剤等のコネクタを介して導通接続されている。
【００２６】
ここで、ガラス基板１、２の各内面上の積層構造について図４のロ−ロ断面図に基づき説明する。
走査電極３が設けられるガラス基板１の内面には、遮光膜８が設置されている。遮光膜８には、走査電極３と信号電極４とが交差対向する領域に形成される画素に対応させて開口部８ａが設けられている。これら開口部８ａには、それぞれ赤、緑、青の３種類のカラーフィルタ要素９Ｒ、９Ｇ、９Ｂの何れかが所定の配列で配設されている。本例では、各カラーフィルタ要素９Ｒ、９Ｇ、９Ｂが対向基板２側の対応する信号電極４に沿ってストライプ状に延在形成されている。
【００２７】
それらカラーフィルタ要素９Ｒ、９Ｇ、９Ｂ等を覆って絶縁保護膜１０が一様に積層されている。この絶縁保護膜１０はカラーフィルタ要素９Ｒ、９Ｇ、９Ｂを保護すると共にその凸凹表面を平坦化するために設けられており、透明な感光性樹脂材料を例えばスピンコート法等により透明基板１のカラーフィルタ要素９Ｒ、９Ｇ、９Ｂが形成された表面に一様に塗布して硬化させることにより、平坦な表面が得られる。
【００２８】
絶縁保護膜１０の平坦な表面には、前述したように複数の走査電極３及びそれらから引き出されたクロス接続端子３ａ１や第２走査第１配線６ｂ１（図２参照）及びそのクロス接続端子６ｂ１１（図２参照）等の電極配線部材が積層形成されている。そして、それら電極配線部材を覆って配向膜１１が一様に被着されている。この配向膜１１の被着範囲は、上記クロス接続端子３ａ１、６ｂ１１を被覆しない範囲に設定されている。
【００２９】
駆動回路素子５が設けられるガラス基板２の内面には、前述したように、複数の信号電極４とそれらから引き出された信号配線７（図２参照）や各種被クロス接続端子３ａ２、６ｂ１２及びそれらに接続された各種走査配線６ａ、６ｂ２（図２参照）等の電極配線部材が配設されている。そして、これら電極配線部材を覆って配向膜１２が一様に被着されている。この配向膜１２の被着範囲は、被クロス接続端子３ａ２、６ｂ１２を覆わない範囲に設定されている。
【００３０】
而して、上述のように構成されたガラス基板１、２の各積層体は、枠状に配置された異方性導電シール材１３により所定の基板間隔を保って接合されている。異方性導電シール材１３は、導電性粒子１３ａを絶縁樹脂基材１３ｂ中に分散混合して得られる異方性導電材料を例えば印刷法等により所定の枠形状に塗布して、形成されている。なお、本例の導電性粒子１３ａは、樹脂粒子の表面に金をメッキ処理により被着して形成されたものである。
【００３１】
上述の導電性粒子１３ａを含有する異方性導電シール材１３は、図２に示すように、ガラス基板１の縁部に沿わせて枠状に設置されている。この設置領域には、ガラス基板１側のクロス接続端子３ａ１、６ｂ１１及びこれらに導通接続すべきガラス基板２側の被クロス接続端子３ａ２、６ｂ１２がそれぞれ対応する端子同士を対向させて配置されている。そして、図３に示すように、互いに対向するクロス接続端子３ａ１と被クロス接続端子３ａ２及びクロス接続端子６ｂ１１と被クロス接続端子６ｂ１２間にそれぞれ導電性粒子１３ａを確実に挟持させることにより、それぞれ対向端子同士が導電性粒子１３ａを介して確実に導通接続される。これにより、ガラス基板１に設けた第１走査電極３ａと第２走査電極３ｂの双方がガラス基板２にＣＯＧ搭載されている駆動回路素子５に高い信頼性で電気接続される。
【００３２】
このような信頼性の高い対向基板間のクロス接続構造は、異方性導電シール材料を用いることにより、容易に得ることができる。即ち、両ガラス基板１、２の内の例えばガラス基板２の電極形成側表面へ異方性導電シール材料を上述した所定の枠領域に印刷塗布した後、これにもう一方のガラス基板１を位置合せしつつ貼り合わせ、各対向クロス接続端子間３ａ１、３ａ２、及び６ｂ１１、６ｂ１２にそれぞれ導電性粒子１３ａが確実に挟持されるまで両ガラス基板１、２を押圧接合するだけでよい。
【００３３】
以上のように、一方のガラス基板１に設けた走査電極３を他方のガラス基板２に設置した駆動回路素子５に電気接続する走査配線を、ガラス基板１の縁部に沿って引き回した後クロス接続する配線経路と、直ちにクロス接続した後に対向側ガラス基板２の縁部に沿って引き回す配線経路の、２系統の配線経路に分けることにより、分けた各配線経路を対向する基板の内面に対向配置することができる。これにより、液晶表示素子全体の平面積に占める走査配線の配設エリアの割合を小さくでき、液晶表示素子の狭額縁化を大幅に促進することができる。
【００３４】
すなわち、図３に示すように、ガラス基板１の遠駆動部側エリアａに設けられた各第１走査電極３ａ（図２参照）は、それらの各一端部に設けたクロス接続端子３ａ１から異方性導電シール材１３の導電性粒子１３ａを介してガラス基板２の対応する被クロス接続端子３ａ２に導通接続され、これらからガラス基板２の両側縁部に配設された第１走査第３配線６ａを経て駆動回路素子５の対応する接続バンプに電気接続される。
【００３５】
一方、ガラス基板１の近駆動部側エリアｂに設けられた各第２走査電極３ｂは、それらからそれぞれ引き出された各第２走査第１配線６ｂ１を経て近駆動側縁部の各クロス接続端子６ｂ１１に至り、これら各クロス接続端子６ｂ１１から異方性導電シール材１３の導電性粒子１３ａを介してガラス基板２の対応する被クロス接続端子６ｂ１２に導通接続され、これらから各第２走査第３配線６ｂ２を経て駆動回路素子５の対応する接続バンプに電気接続される。
【００３６】
従って、ガラス基板１における表示エリアＡｖ両側の縁部に沿って配設された第２走査第１配線６ｂ１の配設エリアＡｗ１と、ガラス基板２における表示エリアＡｖ両側の縁部に沿って配設された第１走査第３配線６ａの配設エリアＡｗ２とが、液晶層Ｌｃを介して重畳する配線構造となり、従来の一方の基板の全電極を他方の基板に一括してクロス接続する片側基板端子型液晶表示素子に比べて表示エリアＡｖ両側の額縁幅Ｗｆが大幅に縮小される。この場合、本例のように、全走査電極を半数づつの２グループに分けて配線することにより、各グループの走査配線の配設エリア幅を同一にすると共にそれら配設エリアを略完全に整合させて重ねることができ、液晶表示素子の額縁を最大限に縮小することが可能となる。
【００３７】
ここで、本発明の片側端子型液晶素子による額縁縮小効果を確認するために、本例の液晶表示素子において全走査電極を引き回すことなく直ちに一括クロス接続した構成を想定した比較例を図５に示す。なお、図５は、図２に対応する平面図であり、同一構成要素には同一の符号を付してある。
【００３８】
図５に示されるように、ガラス基板１の全ての走査電極３´の各一端部にクロス接続端子３´ａが形成され、これらクロス接続端子３´ａは、ガラス基板２に対向配置された対応する被クロス接続端子３´ｂに異方性導電シール材１３により導通接続され、これら各被クロス接続端子３´ｂからは、駆動回路素子５の対応する接続バンプに向けて走査配線６´がそれぞれ引き回し配設される。この場合の各走査配線６´はガラス基板２の両側縁部に平面的に並べて配設されるため、その配設エリア幅Ｗｗ´は、本例の液晶表示素子における走査配線の配設エリア幅Ｗｗ１、Ｗｗ２（図２参照）の約２倍となる。その結果、液晶表示素子としての両側額縁幅Ｗｆ´も本例の一方の走査配線配設エリア幅Ｗｗ１分だけ大きくなる。
【００３９】
以上のように、本第１実施形態においては、液晶表示素子全体の平面積に占める走査配線の配設エリアの割合を小さくでき、液晶表示素子の狭額縁化を大幅に促進することができるとともに、引き回し配線することなく直ちにクロス接続する第１走査電極３ａと引き回し配線したのちクロス接続する第２走査電極３ｂを、それぞれ、表示領域の片側半分の領域にまとめて配設したから、複雑化しがちな片側基板端子型液晶表示素子の配線構造が比較的簡単になり、製造がより容易となる。そして、この第１実施形態のような液晶表示素子は、表示領域が例えば文字表示域と画像表示域のように異なる表示特質の区域に区分される液晶表示素子として好適である。
【００４０】
次に、本発明の第２実施形態について、図６に基づき説明する。なお、図２に示す第１実施形態と同一の構成要素については、同一符号を付してその説明を省略する。
【００４１】
本実施形態では、ガラス基板１に設けられた走査電極３のうちの、直ちにクロス接続させる第１のグループの第１走査電極３ｃと、駆動回路素子５近傍まで引き回した後クロス接続する第２のグループの第２走査電極３ｄとが、それぞれ２本づづ交互に配設されている。そして、同じグループの隣設された２本の第１走査電極３ｃ、３ｃ或いは第２走査電極３ｄ、３ｄは、互いに反対方向に引き出されて配線接続されている。
【００４２】
すなわち、走査電極３の延在方向をガラス基板１の左右方向とした場合に、各走査電極３は、駆動回路素子５に近接する側とは反対側の端部から、右引出し配線の第１走査電極３ｃ、左引出し配線の第１走査電極３ｃ、右引出し配線の第２走査電極３ｄ、左引出し配線の第２走査電極３ｄの順序で、４本毎に繰り返し並設されている。
【００４３】
そして、第２走査電極３ｄの左右に延出された各電極端部からは、ガラス基板２側の駆動回路素子５に電気接続するための第２走査第１配線６ｄ１がそれぞれ引き出され、ガラス基板１の両側縁部から近駆動縁部へ画素領域を迂回させて引き回されている。これら第２走査第１配線６ｄ１の引き回し端部はクロス接続端子６ｄ１１として幅広に形成され、ガラス基板１の近駆動縁部に沿って所定のピッチで並列配置されている。これらクロス接続端子６ｄ１１は、ガラス基板１の近駆動縁部において、対応する第２走査電極３ｄを引き出した側と同じ側に分けて配置されている。
【００４４】
ガラス基板１に異方性導電シール材１３を介して接合されたガラス基板２には、ガラス基板１側において配線を介さず第１走査電極３ｃの各一端部を延出させて形成したクロス接続端子３ｃ１に対向させて、被クロス接続端子３ｃ２が配設されている。これら被クロス接続端子３ｃ２からは、各第１走査電極３ｃを駆動回路素子５に接続するためのガラス基板２側の第１走査第３配線６ｃが駆動回路素子５の配設位置に向けてそれぞれ引き出されている。これら第１走査第３配線６ａは、ガラス基板２の縁部に沿うように迂回させて引き回されている。そして、それら第１走査第３配線６ｃの引き出し側各端子（不図示）は、駆動回路素子５の対応する接続バンプに異方性導電接着剤等のコネクタを介して導通接続されている。
【００４５】
また、ガラス基板１側に設けられた第２走査第１配線６ｄ１のクロス接続端子６ｄ１１に対向させて、被クロス接続端子６ｄ１２が配設され、これら被クロス接続端子６ｄ１２からは第２走査第３配線６ｄ２が駆動回路素子５の配設位置に向けてそれぞれ引き出されている。これら第２走査第３配線６ｄ２の各引出し側端子（不図示）は、駆動回路素子５の対応する接続バンプに異方性導電接着剤等のコネクタを介して導通接続されている。
【００４６】
そして、ガラス基板１側のクロス接続端子３ｃ１、６ｄ１１及びこれらに導通接続すべく対向配置されたガラス基板２側の被クロス接続端子３ｃ２、６ｄ１２とは、導電性粒子１３ａを含有する異方性導電シール材１３を介して確実に導通接続されている。これにより、ガラス基板１に設けた第１走査電極３ｃと第２走査電極３ｄの双方がガラス基板２にＣＯＧ搭載されている駆動回路素子５に高い信頼性で電気接続される。
【００４７】
以上のように、本第２実施形態においては、第１実施形態の場合と同様に、液晶表示素子全体の平面積に占める走査配線の配設エリアの割合を小さくでき、液晶表示素子の狭額縁化を大幅に促進することができるだけでなく、引き回し配線することなく直ちにクロス接続する第１走査電極３ｃと引き回し配線したのちクロス接続する第２走査電極３ｄを交互に配設したから、第１実施形態のように画素領域を２分割して第１走査電極３ａと第２走査電極３ｂをそれぞれ分割領域にまとめて配設した場合に比べて、所望の表示品質を画素領域全域にわたりより均等に安定して得ることができる。
【００４８】
なお、本発明の液晶素子は上記実施形態に限定されるものではない
例えば、一方の基板の電極を直ちにクロス接続するグループと引き回した後クロス接続するグループに分ける割合は、１：１に限らず、４：６或いは３：７等、液晶素子の用途に応じて適宜変更することができる。
【００４９】
また、上記実施形態では表示エリア周囲の引き回し配線を異方性導電シール材より内側の液晶封入領域に配設したが、これらは異方性導電シール材の外側に配設してもよい。その場合、それら引き回し配線の腐食が懸念されるが、防水性樹脂保護膜を被着する等の方策により配線の腐食を防止できる。
【００５０】
更に、本発明の液晶素子は、１チップＣＯＧ搭載方式の液晶素子に限らず、複数の駆動回路素子をＣＯＦ搭載した回路基板を液晶素子の外部接続端子部に導通接続する方式の液晶素子等にも好適に適用できる。
【００５１】
加えて、本発明は、単純マトリクス型液晶表示素子に限らず、光スイッチや光シャッタ等、種々の液晶素子に広汎に適用可能であることは勿論である。
【００５２】
【発明の効果】
本発明の液晶素子によれば、一対の基板のうちの一方の基板の電極を他方の基板に設けた駆動回路素子へ異なる基板間に渡って接続する配線を複数の経路に分け、それら配線の少なくとも一部分を両基板の各内面に対向配設したから、素子全体での配線配設エリアを小さくでき、これにより、基板サイズを小さくして液晶素子の小型化を大幅に促進することができる。その結果、異方性導電材料からなる接合部材を用いる場合においても、電極と配線のショートを発生させることなく小型化を大幅に促進でき且つ製造が容易な片側基板端子型の液晶素子を提供することが可能となる。
【００５３】
本発明の液晶素子においては、請求項２に記載のように、前記第１の配線と前記第３の配線を、前記第１の基板と前記第２の基板とが対向する領域の第１の電極が配列された領域より外側の、前記接合部材より内側の液晶封入領域に配設することにより、それら各配線の腐食を抑制することができる。
【００５４】
また、請求項３に記載のように、本発明の液晶素子を、第１の電極と第２の電極が第２の基板に搭載された１個の駆動回路素子に電気接続される１チップ実装タイプの液晶素子に適用することにより、実装構造が簡単な１チップ実装液晶素子の小型化がより一層促進される。
【００５５】
さらに、請求項４に記載のように、本発明の液晶素子を、第１の電極が複数の走査電極で、第２の電極が前記走査電極に対して直角に交差させた複数の信号電極であり、複数の前記接続端子は第１と第２のグループに分けて異なる位置に配置され、前記第１のグループの接続端子は複数の走査電極の配列方向に複数配列され、前記第２のグループの接続端子は信号電極の配列方向に複数配列されている、ドットマトリックス型の液晶表示素子に適用することにより、複雑化しがちな片側基板端子型で狭額縁のドットマトリックス型液晶表示素子の構造が比較的簡素化され、その製造が容易となる。
【００５６】
そして、請求項４の液晶表示素子は、請求項５に記載のように、第１のグループの接続端子に接続された走査電極と、第２のグループの接続端子に接続された走査電極とを、それぞれ、所定の領域にまとめて配設することにより、複雑化しがちな片側基板端子型液晶表示素子の配線構造が比較的簡単になり、片側基板端子型液晶表示素子の製造がより容易となる。また、この液晶素子は、表示領域が例えば文字表示域と画像表示域のように異なる表示特質の区域に区分される液晶表示素子に好適である。
【００５７】
また、上記請求項４の液晶表示素子は、請求項６に記載のように、第１のグループの接続端子に接続された走査電極と、第２のグループの接続端子に接続された走査電極とを、交互に配列することにより、所望の表示品質を画素領域全域にわたりより均等に安定して得ることができる。
【図面の簡単な説明】
【図１】本発明の第１実施形態としての液晶表示素子を示す斜視図である。
【図２】上記液晶表示素子を片側基板を透視して示す平面図である。
【図３】図２の平面図におけるイ−イ断面図である。
【図４】図２の平面図におけるロ−ロ断面図である。
【図５】本発明の第１実施形態としての液晶表示素子に対する比較例を示す図２に対応した平面図である。
【図６】本発明の第２実施形態としての液晶表示素子を片側基板を透視して示す平面図である。
【符号の説明】
１、２…ガラス基板
３ａ、３ｃ…第１走査電極
３ｂ、３ｄ…第２走査電極
４…信号電極
５…駆動回路素子
６ａ…第１走査第３配線
６ｂ１…第２走査第１配線
６ｂ２…第２走査第３配線
７…信号配線
８…遮光膜
９Ｒ、９Ｇ、９Ｂ…カラーフィルタ要素
１０…絶縁保護膜
１１、１２…配向膜
１３…異方性導電シール材
１３ａ…導電性粒子
１３ｂ…絶縁樹脂基材
Ｌｃ…液晶層
Ｗｗ１、Ｗｗ２、Ｗｗ´…配線配設エリア幅
Ｗｆ、Ｗｆ´…額縁幅
【図１】
2004295067.tif 000003
【図２】
2004295067.tif 000004
【図３】
2004295067.tif 000005
【図４】
2004295067.tif 000006
【図５】
2004295067.tif 000007
【図６】
2004295067.tif 000008